(57)【特許請求の範囲】
【請求項１】
上方開口縁に外向きカール部を有する上拡がりの紙カップ本体と、上方及び下方共に開口しており下方開口縁に内向きカール部を有する上拡がりの紙製の外筒とからなり、紙カップ本体の胴部の途中には該胴部の上拡がりのテーパーより小さな角度の上拡がりのテーパー又は鉛直方向のテーパーを付けて段部を形成することによって外側に突き出た拡大部分が周回方向に設けられており、外筒における内向きカール部にはその内側となるところの一部を除いて表面にＯＰニスが印刷されており、紙カップ本体に外筒を被せて外筒の上端部分を紙カップ本体における外向きカール部の内側に食い込ませた状態とするとともに、外筒における内向きカール部の部分を紙カップ本体の下方の側壁外周面にエマルジョン系接着剤で接着して両者を一体とすることにより形成され、紙カップ本体と外筒の間に空隙が形成されていることを特徴とする断熱性容器。
【請求項２】
拡大部分が周回方向に連続状態で設けられている請求項１に記載の断熱性容器。
【請求項３】
拡大部分が周回方向に不連続状態で設けられている請求項１に記載の断熱性容器。
【請求項４】
外筒の上端部分が全周に渡って内側に閉じる方向に曲げられている請求項１〜３のいずれかに記載の断熱性容器。
【発明の詳細な説明】
【０００１】
【発明の属する技術分野】
本発明は、インスタントラーメンなどの即席食品を入れるカップ状の容器に係り、特に熱湯を注いでそのまま食することのできる断熱性に優れた容器に関するものである。
【０００２】
【従来の技術】
一般に、この種のカップ状をした断熱性容器としては、発泡ポリスチレンなどのプラスチック製のものが多用されてきたが、これらは廃棄した場合に公害問題になることから、これに代わるものとして、例えば実開平４−４５２１２号公報に見られるように、胴部を二重にして断熱用の空隙を形成した紙製の断熱性容器が提案されている。
【０００３】
【発明が解決しようとする課題】
従来の技術で述べた実開平４−４５２１２号公報に記載の断熱性容器は、通常の紙カップに対してテーパーの異なった底なしの外筒を組み合わせるという簡単な構成により断熱効果を有するカップが得られるという利点がある。そして、断熱用の空隙が下方に行くほど大きくなっているので、通常の持ち方では良好な断熱効果を発揮する。しかしながら、上部寄りのところをつかんで持つ状態が長く続くと、断熱効果を発揮する空隙が無いか又は狭いので、段々と熱くなってくるという問題点がある。
【０００４】
本発明は、上記のような問題点を解決するためになされたものであり、その目的とするところは、胴部のいずれの場所を手で持っても内容物の熱が伝わり難い優れた断熱性容器を提供することにある。
【０００５】
【課題を解決するための手段】
上記目的を達成するために、本発明に係る断熱性容器は、上方開口縁に外向きカール部を有する上拡がりの紙カップ本体と、上方及び下方共に開口しており下方開口縁に内向きカール部を有する上拡がりの紙製の外筒とからなり、紙カップ本体の胴部の途中には該胴部の上拡がりのテーパーより小さな角度の上拡がりのテーパー又は鉛直方向のテーパーを付けて段部を形成することによって外側に突き出た拡大部分が周回方向に設けられており、外筒における内向きカール部にはその内側となるところの一部を除いて表面にＯＰニスが印刷されており、紙カップ本体に外筒を被せて外筒の上端部分を紙カップ本体における外向きカール部の内側に食い込ませた状態とするとともに、外筒における内向きカール部の部分を紙カップ本体の下方の側壁外周面にエマルジョン系接着剤で接着して両者を一体とすることにより形成され、紙カップ本体と外筒の間に空隙が形成されていることを特徴とするものである。
【０００６】
【発明の実施の形態】
次に、いくつかの例を挙げながら本発明の実施形態について説明する。
【０００７】
図１は本発明に係る断熱性容器の一例を示すもので、左半分及び右半分をそれぞれ正面図と断面図で示す概略構成図であり、同図の断熱性容器Ｃは、紙カップ本体１０と上方及び下方共に開口した中空円筒状の外筒２０とを組み合わせて構成されている。
【０００８】
紙カップ本体１０は、内面若しくは内外両面にポリエチレン等の合成樹脂をコーティングした紙からなるもので、通常の紙カップと同様に、扇形状のブランクを丸めた胴部１１の下方に円形状の底板１２を巻き締めると共に上方開口縁に外向きカール部１３を形成したものであり、さらに胴部１１の中央付近には胴部１１のテーパーとは異なるテーパーにより外側に突き出た拡大部分１４を設けてある。すなわち、胴部１１の上拡がりのテーパーより小さな角度の上拡がりのテーパー又は鉛直方向のテーパーを付けることで段部ａを形成している。また、紙カップ本体１０の胴部１１のやや下寄りの位置には、外側に突出する周回方向の凸状部からなる補強リブ１５を形成してある。なお、これらの拡大部分１４や補強リブ１５は、紙カップ本体１０と外筒２０とを組み合わせる前に、雄型と雌型を用いて紙カップ本体１０に形成されるものである。ここで、紙カップ本体１０の拡大部分１４は、紙カップ本体１０の中に拡開式の雄型を挿入し、その雄型を外側の雌型に向けて押し広げることで形成することになるが、この場合に胴部１１のテーパーとは異なる上拡がりのテーパー又は鉛直方向のテーパーを付けることにより、引っ掛かることなく簡単に型抜きが行える。
【０００９】
一方、中空円筒状の外筒２０は、紙単体若しくは片面又は両面にポリエチレン等の合成樹脂をコーティングした扇形状の紙からできており、胴部２１の下方開口縁に内向きカール部２２が形成されている。ここで、紙カップ本体１０も外筒２０も共に上拡がりであるが、この外筒２０はその胴部２１が紙カップ本体１０の胴部１１より裾が少し拡がったテーパーを有しており、さらに図示の例では外筒２０の上端部分２３が全周に渡って内側に閉じる方向にテーパー状に曲げられており、その先端が紙カップ本体１０の外向きカール部１３の内側に当接する大きさになっている。なお、この上端部分２３の曲げは、テーパー状に限るものではなく、湾曲状態に曲げられていてもよい。
【００１０】
そして、紙カップ本体１０に上記構成の外筒２０を被せて差し込み、外筒２０の上端部分２３の先端を紙カップ本体１０における外向きカール部１３の内側に当接させるか食い込ませた状態にし、予め紙カップ本体１０の外向きカール部１３の下側付近の胴部外周面に塗布したエマルジョン系接着剤等の手段により、外筒２０の上端部分２３を紙カップ本体１０における外向きカール部１３の内側に接着して両者を一体化とすることにより、図１に示す断熱性容器Ｃが形成されている。使用形態によっては、外筒２０の下方開口縁に形成された内向きカール部２２の部分も紙カップ本体１０の下方の側壁外周面に接着して、紙カップ本体１０と外筒２０の結合をより確実にしてもよい。また、外筒２０の上端部分２３の先端を紙カップ本体１０における外向きカール部１３の内側に十分に食い込ませるような場合は、外筒２０における内向きカール部２２の部分を紙カップ本体１０の下方の側壁外周面に接着するだけでも固定することができる。
【００１１】
上記構成の断熱性容器Ｃにおいては、紙カップ本体１０の胴部１１と外筒２０の胴部２１の間に空隙が形成され、この空隙の部分が断熱作用を果たす。しかも、紙カップ本体１０の胴部１１の中央付近には外側に突き出た拡大部分１４を周回方向に設けてあるので、下方からこの拡大部分１４のところまで空隙がある程度の間隔で形成され、さらに拡大部分１４の上方でも空隙が形成される。したがって、断熱性容器Ｃに熱湯を入れた場合、内側の胴部１１の熱が外側の胴部２１に伝わるのが広い範囲に渡って防止され、この種の容器において通常把持されるどの場所をつかんで持っても熱くなることがない。また、上記の例では紙カップ本体１０の胴部１１には拡大部分１４の下方で外面側に突出する周回方向の凸状部からなる補強リブ１５を形成してあるので、この補強リブ１５により紙カップ本体１０の強度が上がると共に、外筒２０の胴部２１が内側に撓まないように支えの役目を果たすので、手で持って力を入れた場合に紙カップ本体１０の胴部１１と外筒２０の胴部２１の間の空隙が狭くなるのが防止される。
【００１２】
図２は図１に示した断熱性容器の変形例を示すもので、この図２に示される断熱性容器Ｃは図１に示したものと略同じ構成をしているが、外筒２０の上端部分が全周に渡って内側に閉じる方向にテーパー状に曲げられておらず、真っ直ぐのままになっている。このタイプの断熱性容器Ｃでは、外筒２０の上端を紙カップ本体１０における外向きカール部１３の内側に当接させるか食い込ませた状態にしやすくするため、外筒２０にその上方で狭くなるようなテーパーを付けるとよい。そして、外筒２０における上端部分と内向きカール部２２の少なくともいずれかで紙カップ本体１０に接着して両者を一体とし、紙カップ本体１０と外筒２０の間に空隙を形成する点は図１に示した断熱性容器Ｃの場合と同様である。
【００１３】
なお、図１及び図２に示した例では、紙カップ本体１０における胴部１１の拡大部分１４は周回方向に連続状態で設けているが、この拡大部分１４は周回方向に不連続状態で設けても構わない。
【００１４】
外筒２０はその表面に商品名や絵柄などが印刷されるが、この印刷は原反に対して行われる。そして、この印刷済みの原反を打ち抜くことで扇形状のブランクが形成され、このブランクを丸めて胴貼りし、下方開口縁に内向きカール部２２を形成することで外筒２０が形成される。ここで、印刷した絵柄等を保護する意味もあるが、紙をカールをしやすくするため、通常は原反の印刷時に最外層にＯＰニスを印刷している。しかし、このＯＰニスはエマルジョン系接着剤をはじくので、外筒２０の内向きカール部２２を紙カップ本体１０の胴部下方に接着することができない。エマルジョン系以外の接着剤を使用することも考えられるが、耐熱性や臭いの問題から、さらには扱いやすさの点から、現状では胴貼りに使用しているのと同じエマルジョン系接着剤を使用するのが望まれる。
【００１５】
そこで、外筒２０における内向きカール部２２の部分を紙カップ本体１０の下方の側壁外周面に接着する場合は、カールのしやすさと糊付けを両立させるため、図３に示すようなパターンでＯＰニス２４を印刷したブランクＢを使用する。すなわち、外筒２０の内向きカール部２２の内側となるところの一部を除いたパターンでＯＰニス２４を印刷するのである。図３に例示したパターンは、ブランクＢの下端に沿って矩形状の未塗布部分２５を規則的に残している。実際には、紙カップ本体１０の外周を一周してエマルジョン系接着剤を塗布し、そこに外筒２０を被せるので、未塗布部分が少なくとも一部にあれば接着することができる。したがって、未塗布部分のパターンは任意でよく、また図３のように全周に渡って均等に残す必要はなく、要は外筒２０における内向きカール部の内側となるところの一部にＯＰニスの未塗布部分があればよい。なお、図中２６は胴貼り部となるところで、ここは当然にＯＰニスを塗工しない。
【００１６】
上記のように、ＯＰニスの未塗布部分を残す代わりに次のような手段を講じてもよい。すなわち、ＯＰニスは胴貼り部を残して全面に塗工し、内向きカール部の内側となるところにハーフカットや削り加工などによりキズ入れを行うようにする。紙カップ本体１０の胴部１１の外面と接触する部分の全体に渡って均等にキズを設けてもよいし、一部だけに設けてもよい。このようなキズを形成しておけば、キズを通してエマルジョン系接着剤が外筒２０の紙にしみ込むので、外筒２０の内向きカール部２２を紙カップ本体１０の胴部１１の外面に接着することができるのである。
【００１７】
なお、本発明の断熱性容器は、印刷する文字や模様が外側へ浮きだして凸部分を形成するようにエンボス加工を施してなる板紙にて形成した外筒を用いてもよい。この凸部分は、すべての文字や模様の部分について形成する必要はなく、強調したい文字や模様のみにしてもよい。このような構成の断熱性容器は図１や図２に示した断熱性容器Ｃと同様な断熱作用を発揮するが、特に凸部分では空隙が広いために断熱作用が大きくなる。
【００１８】
また、本発明の断熱性容器は、外側となる面の全体に渡って微細なエンボス加工を施してなる板紙にて形成した外筒を用いてもよい。このような構成の断熱性容器は図１の断熱性容器Ｃと同様な断熱作用を発揮するが、紙カップ本体と外筒の間の空隙による断熱効果が発揮されるのに加え、外筒の表面の微細凹凸により持ちやすい上に手に熱が伝わりにくく、全体的に断熱効果が一層優れたものとなる。なお、エンボス加工による凹凸模様を外筒における胴部の全面に渡って形成してもよいし、凹凸模様を形成しない部分を一部に残した形態にしてもよい。例えば、手で持つ領域を考慮して胴部の上下に帯状に残してもよいし、またデザインを考慮して名前の部分などを模様状に残してもよい。
【００１９】
【発明の効果】
本発明の断熱性容器は、上方開口縁に外向きカール部を有する上拡がりの紙カップ本体と、上方及び下方共に開口しており下方開口縁に内向きカール部を有する上拡がりの紙製の外筒とからなり、紙カップ本体の胴部の途中には該胴部の上拡がりのテーパーより小さな角度の上拡がりのテーパー又は鉛直方向のテーパーを付けて段部を形成することによって外側に突き出た拡大部分が周回方向に設けられており、外筒における内向きカール部にはその内側となるところの一部を除いて表面にＯＰニスが印刷されており、紙カップ本体に外筒を被せて外筒の上端部分を紙カップ本体における外向きカール部の内側に食い込ませた状態とするとともに、外筒における内向きカール部の部分を紙カップ本体の下方の側壁外周面にエマルジョン系接着剤で接着して両者を一体とすることにより形成され、紙カップ本体と外筒の間に空隙が形成されている構成としたので、胴部の下部から上部に至る広い範囲に渡って断熱用の空隙がある程度の間隔で形成されることから、胴部のいずれの場所を手で持っても内容物の熱が伝わりにくいという断熱性に優れたものとなる。
【００２０】
また、外筒の上端部分を全周に渡って内側に閉じる方向に曲げた構成を採用することにより、空隙が大きくなり、断熱効果が一層優れたものとなる。
【００２１】
また、外筒における内向きカール部の内側となるところの一部を除いて表面にＯＰニスが印刷されているか、或いは、外筒における内向きカール部の内側となるところにキズ入れが施されている構成を採用することにより、外筒における内向きカール部の部分を紙カップ本体の下方の側壁外周面に接着する場合に、エマルジョン系接着剤を使用しても、カールのしやすさと糊付けを両立させることができる。
【図面の簡単な説明】
【図１】本発明に係る断熱性容器の一例を示すもので、左半分及び右半分をそれぞれ正面図と断面図で示す概略構成図である。
【図２】図１に示した断熱性容器の変形例を示すもので、左半分及び右半分をそれぞれ正面図と断面図で示す概略構成図である。
【図３】外筒のブランクでＯＰニスの塗工部分を示すための説明図である。
【符号の説明】
Ｃ  断熱性容器
１０  紙カップ本体
１１  胴部
１２  底板
１３  外向きカール部
１４  拡大部分
１５  補強リブ
２０  外筒
２１  胴部
２２  内向きカール部
２３  上端部分
２４  ＯＰニス
２５  未塗布部分
２６  胴貼り部
ａ  段部
【図１】
0004259707.tif 000002
【図２】
0004259707.tif 000003
【図３】
0004259707.tif 000004